(57)【要約】      （修正有）【課題】特に放熱フィンを設けずに放熱することができる構成を採用することにより、材料費及び製造費を節約して低コスト化を図る発光ダイオード照明灯具を提供する。【解決手段】底面に平坦部１５を有する凹部１３が、一つ、或いは２つ以上互いに平行するように形成された設置板１１を含むフレーム部材１０と、前記フレーム部材１０における凹部１３の平坦部１５に取り付けられると共に、下面に複数の発光ダイオードが設置される一つ以上の基板２０と、上部両端に対向するように水平方向に二つの上側平坦部３１が設けられ、該二つの上側平坦部３１が前記設置板１１と基板２０との間に挟持されるように、該基板２０により固設される一つ以上のライトカバー３０とにより上記照明灯具を構成する。【選択図】図２
0003148585.tif 000002
【実用新案登録請求の範囲】
【請求項１】
底面に平坦部(１５)を有する凹部(１３)が、一つ、或いは２つ以上互いに平行するように形成された設置板(１１)を含むフレーム部材(１０)と、
前記フレーム部材(１０)における凹部(１３)の平坦部(１５)に取り付けられると共に、下面に複数の発光ダイオード(２１)が設置される一つ以上の基板(２０)と、
上部両端に対向するように水平方向に二つの上側平坦部(３１)が設けられ、該二つの上側平坦部(３１)が前記設置板(１１)と基板(２０)との間に挟持されるように、該基板(２０)により固設される一つ以上のライトカバー(３０)と、を備えることを特徴とする発光ダイオード照明灯具。
【請求項２】
前記設置板(１１)の両側にそれぞれ、対向するように二本の長尺部材(１２)が設置されることを特徴とする請求項１に記載の発光ダイオード照明灯具。
【請求項３】
前記平坦部(１５)が凸起状であることを特徴とする請求項１又は２に記載の発光ダイオード照明灯具。
【請求項４】
前記設置板(１１)は、前後側縁部から上方へ垂直に延出する係合板(１６)を有し、
前記長尺部材(１２)は、底板(１７)と、該底板(１７)の設置板(１１)側の側縁部から延出するＬ字形の側板(１８)と、該底板(１７)の外周縁部から上方に向かって垂直に延出する、係止凸部(１９１)を有するコ字形の外板(１９)と、を含み、
前記係止凸部(１９１)は、前記コ字形の外板(１９)の両端部に設けられ、該係止凸部(１９１)を設置板(１１)における係合板(１６)に挿設することにより、前記長尺部材(１２)を設置板(１１)に固定することを特徴とする請求項１乃至３の何れか１項に記載の発光ダイオード照明灯具。
【請求項５】
前記側板(１８)における、設置板(１１)の凹部(１３)と対応する位置に、基板(２０)に設けられる電源線を通過させるための長穴(１８１)が形成されることを特徴とする請求項４に記載の発光ダイオード照明灯具。
【請求項６】
前記発光ダイオード(２１)がマトリクス状に配列されているを特徴とする請求項１乃至５の何れか１項に記載の発光ダイオード照明灯具。
【請求項７】
前記凹部(１３)の両側の壁がそれぞれ階段状であることを特徴とする請求項１乃至６の何れか１項に記載の発光ダイオード照明灯具。
【請求項８】
前記ライトカバー(３０)の断面が半円形であることを特徴とする請求項１乃至７の何れか１項に記載の発光ダイオード照明灯具。
【考案の詳細な説明】
【技術分野】
【０００１】
本考案は、特に材料コストを大幅に削減することができる発光ダイオード照明灯具に関するものである。
【背景技術】
【０００２】
現在の灯具の殆どは、エネルギー消費量を低減するため、省エネ型の発光体を使用しており、その内、最も広く使用されているのが発光ダイオードである。
【０００３】
台湾実用新案公告第Ｍ３３２１６６号においては、一端が平面であり、該平面に複数の発光ダイオードが取り付けられた回路板が設置されると共に、他の一端に放熱用の複数の放熱フィンが設けられた放熱部材を有する発光ダイオード照明灯具が請求された。
【考案の開示】
【考案が解決しようとする課題】
【０００４】
前記従来の発光ダイオード照明灯具は、発光ダイオードから発生した熱を空気中へ放散させるために、一端に放熱フィンを有する放熱部材が設けられている。しかしながら、該放熱フィンの取り付けはコストを上昇させ、販売価額を押し上げてしまうことから、商品競争力を低下させるという欠点があった。故に、前記従来の発光ダイオード照明灯具の構造は、更に改良の余地があった。
【０００５】
そこで、案出されたのが本考案であって、放熱フィンを設けずに放熱することができる構成を採用し、材料費及び製造費を節約して低コスト化を図ることにより、販売競争力を向上させることができる発光ダイオード照明灯具を提供することを目的としている。
【課題を解決するための手段】
【０００６】
本願の請求項１の考案は、底面に平坦部(１５)を有する凹部(１３)が、一つ、或いは２つ以上互いに平行するように形成された設置板(１１)を含むフレーム部材(１０)と、
前記フレーム部材(１０)における凹部(１３)の平坦部(１５)に取り付けられると共に、下面に複数の発光ダイオード(２１)が設置される一つ以上の基板(２０)と、
上部両端に対向するように水平方向に二つの上側平坦部(３１)が設けられ、該二つの上側平坦部(３１)が前記設置板(１１)と基板(２０)との間に挟持されるように、該基板(２０)により固設される一つ以上のライトカバー(３０)と、を備えることを特徴とする発光ダイオード照明灯具、を提供する。
【０００７】
そして、本願の請求項２の考案は、前記設置板(１１)の両側にそれぞれ、対向するように二本の長尺部材(１２)が設置されることを特徴とする請求項１に記載の発光ダイオード照明灯具、を提供する。
【０００８】
更に、本願の請求項３の考案は、前記平坦部(１５)が凸起状であることを特徴とする請求項１又は２に記載の発光ダイオード照明灯具、を提供する。
【０００９】
また、本願の請求項４の考案は、前記設置板(１１)は、前後側縁部から上方へ垂直に延出する係合板(１６)を有し、
前記長尺部材(１２)は、底板(１７)と、該底板(１７)の設置板(１１)側の側縁部から延出するＬ字形の側板(１８)と、底板(１７)の外周縁部から上方に向かって垂直に延出する、係止凸部(１９１)を有するコ字形の外板(１９) と、前記側板(１８)と前記外板(１９)との間に設けられる底板(１７)とを含み、
前記係止凸部(１９１)は、前記コ字形の外板(１９)の両端部に設けられ、該係止凸部(１９１)を設置板(１１)における係合板(１６)に挿設することにより、前記長尺部材(１２)を設置板(１１)に固定することを特徴とする請求項１乃至３の何れか１項に記載の発光ダイオード照明灯具、を提供する。
【００１０】
そして、本願の請求項５の考案は、前記側板(１８)における、設置板(１１)の凹部(１３)と対応する位置に、基板(２０)に設けられる電源線を通過させるための長穴(１８１)が形成されることを特徴とする請求項４に記載の発光ダイオード照明灯具、を提供する。
【００１１】
更に、本願の請求項６の考案は、前記発光ダイオード(２１)がマトリクス状に配列されているを特徴とする請求項１乃至５の何れか１項に記載の発光ダイオード照明灯具、を提供する。
【００１２】
また、本願の請求項７の考案は、前記凹部(１３)の両側の壁がそれぞれ階段状であることを特徴とする請求項１乃至６の何れか１項に記載の発光ダイオード照明灯具、を提供する。
【００１３】
そして、本願の請求項８の考案は、前記ライトカバー(３０)の断面が半円形であることを特徴とする請求項１乃至７の何れか１項に記載の発光ダイオード照明灯具、を提供する。
【考案の効果】
【００１４】
本考案の発光ダイオード照明灯具は、上記の課題を解決するためのものであり、設置板により直接放熱することができるので、従来の発光ダイオード照明灯具における、放熱フィンの設置による材料費及び製造費などのコストの増加問題を解決し、低コスト化を図ることができる。
【考案を実施するための最良の形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１は本考案に係る発光ダイオード照明灯具の第１実施例を示す斜視図であり、図２は本考案に係る発光ダイオード照明灯具の第１実施例を示す部分分解斜視図であり、図３は本考案に係る発光ダイオード照明灯具の第１実施例を示す側面断面図であり、図４は本考案に係る発光ダイオード照明灯具の第１実施例を示す部分側面拡大断面図であり、図５は本考案に係る発光ダイオード照明灯具の第２実施例を示す部分分解斜視図である。
【００１７】
図１乃至図４に示すように、本考案に係る発光ダイオード照明灯具の第１実施例においては、フレーム部材(１０)と、一つ以上の基板(２０)と、ライトカバー(３０)とを備える。
【００１８】
前記フレーム部材(１０)は、矩形を呈する設置板(１１)と、縦長状の二本の長尺部材(１２)とを含み、
前記設置板(１１)には、互いに平行するように形成された凹部(１３)を一つ以上有し、該凹部(１３)の両側の壁はそれぞれ階段状を呈すると共に、その底面に平坦部(１５)が設けられ、
前記設置板(１１)は、前後側縁部から上方へ垂直に延出する係合板(１６)を有し、
前記長尺部材(１２)は、前記設置板(１１)の両側において対向するように設けられると共に、底板(１７)と、該底板(１７)の設置板(１１)側の側縁部から延出するＬ字形の側板(１８)と、該底板(１７)の外周縁部から上方に向かって垂直に延出する、係止凸部(１９１)を有するコ字形の外板(１９)と、を有し、
前記係止凸部(１９１)は、前記コ字形の外板(１９)の両端部に設けられ、前記長尺部材(１２)を設置板(１１)における前記係合板(１６)に挿設固定するためのものである。
また、本実施例においては、前記平坦部(１５)が凹部(１３)の長手方向において凸起している。
【００１９】
前記基板(２０)は縦長の矩形を呈し、前記フレーム部材(１０)における凹部(１３)の平坦部(１５)に取り付けられると共に、その下面に複数の発光ダイオード(２１)がマトリクス状に配列され、更に、その一端に電源線（図示せず）が設けられ、該電源線は、前記側板(１８)における、凹部(１３)と対応する長穴(１８１)を貫通して、前記底板(１７)と側壁(１４)と外板(１９)とから構成される空間に配置され、その一端が電源に接続されることによって発光ダイオード(２１)の電力を供給する。
【００２０】
前記ライトカバー(３０)は、断面が半円形であり、その上部両端に対向するように水平方向に二つの上側平坦部(３１)が設けられ、該二つの上側平坦部(３１)が前記設置板(１１)と基板(２０)との間に挟持されるように、該ライトカバー(３０)が基板(２０)に覆設されることにより、長期間の使用によって基板(２０)に塵埃が溜まるのを防止する。
【００２１】
図５に示すものは、本考案の第２実施例であり、この実施例に係る発光ダイオード照明灯具には、二つの電源線(４０)が更に設けられ、該二つの電源線(４０)は、前記基板(２０)の一側に接続して、基板(２０)に取り付けられた発光ダイオード(２１)に電力を供給する。
【００２２】
また、本発明においては、前記基板(２０)が設置板(１１)と接触する構造であることから、発光ダイオード(２１)から発生して基板(２０)に溜まった熱は、該基板(２０)から設置板(１１)に移動して、最終的に空気中に放散されることから、該基板(２０)の温度上昇によるオーバーヒート等のトラブルの発生を未然に防ぐことができるので、発光ダイオード照明灯具の状態を常時正常に保つことができる。
【産業上の利用可能性】
【００２３】
本考案は上記の構成を有することから、放熱をフレーム部材の設置板によって行うので、放熱フィンの製造費、材料費及び工賃などのコストを大幅に削減することができる。
【図面の簡単な説明】
【００２４】
【図１】本考案に係る発光ダイオード照明灯具の第１実施例を示す斜視図である。
【図２】本考案に係る発光ダイオード照明灯具の第１実施例を示す一部分解斜視図である。
【図３】本考案に係る発光ダイオード照明灯具の第１実施例を示す断面図である。
【図４】本考案に係る発光ダイオード照明灯具の第１実施例を示す一部断面図である。
【図５】本考案に係る発光ダイオード照明灯具の第２実施例を示す一部分解斜視図である。
【符号の説明】
【００２５】
１０        フレーム部材
１１        設置板
１２        長尺部材
１３        凹部
１４        側壁
１５        平坦部
１６        係合板
１７        底板
１８        側板
１８１      長穴
１９        外板
１９１      係止凸部
２０        基板
２１        発光ダイオード
３０        ライトカバー
３１        上側平坦部
４０        電源線
【図１】
0003148585.tif 000003
【図２】
0003148585.tif 000004
【図３】
0003148585.tif 000005
【図４】
0003148585.tif 000006
【図５】
0003148585.tif 000007